(57)【要約】【課題】簡易な構造によりセードの落下を防止するとともに、連結部材等がセードに映って外観を損なうのを防止できる照明器具を提供する。【解決手段】取付面１１から垂下され下端部に螺子部３１を有する軸部３０がセード４０の孔部４１を貫通し、軸部３０の先端部にキボシ５０を螺合させることにより、セード４０を取り付ける。このとき、軸部３０において孔部４１から取付面１１に向かって中空の鞘管３２を外嵌し、鞘管３２の下端部に取り付けられる落下防止具３４が孔部４１の下側からセード４０を保持し、落下防止具３４の下側からキボシ５０を軸部３０に取り付けることによりセード４０を取り付ける。鞘管３２は、軸部３０に対して摺動可能に設けられており、軸部３０の下端部に螺合された鞘管止め３６により軸部３０からの脱落を防止されている。このため、キボシ５０を外した状態では、鞘管３２および落下防止具３４が下方へ移動するので、セード４０も下方へ移動する。【選択図】図３
2012089279.tif 000002
【特許請求の範囲】
【請求項１】
取付面から垂下され下端部に螺子部を有する軸部と、
前記軸部が貫通する孔部を有するセードと、
前記孔部を貫通する前記軸部の先端部に螺合して前記セードを下方から支持するキボシと、を有し、
前記孔部から前記取付面に向かって前記軸部に外嵌される中空の鞘管と、
前記鞘管の下端部に取り付けられ、前記セードを前記孔部の下側から保持する落下防止具と、
前記軸部の下端部に螺合するとともに前記鞘管の内部を移動可能で、且つ、前記鞘管が前記軸部から脱落するのを防止する鞘管止めと、を有する照明器具。
【請求項２】
請求項１に記載の照明器具において、
前記鞘管が、伸縮部材である照明器具。
【請求項３】
請求項１または請求項２に記載の照明器具において、
前記鞘管が、スプリングである照明器具。
【発明の詳細な説明】
【技術分野】
【０００１】
光源の前方にセードを有し、建物の天井等に取り付けるのに適した照明装置に関するものである。
【背景技術】
【０００２】
従来より、建物の天井に取り付ける照明器具において、光源の交換時等にセードが落下するのを防止するものが開示されている（例えば特許文献１参照）。
【０００３】
図７に示すように、特許文献１に記載の照明器具１００は、天井面１０１に取り付けられる灯体１０２と、灯体１０２に支持される光源１０３と、光源１０３を覆うように灯体１０２に取り付けられるセード１０４を有しており、セード１０４は連結部材１０５によって灯体１０２に連結されている。
これにより、セード１０４が落下するのを防止する。
【０００４】
そして、セード１０４を灯体１０２に取り付けた後に、灯体１０２に設けられた巻取装置（図示省略）が連結部材１０５を巻き取る。
これにより、連結部材１０５の余剰部分がセード１０４面に載置されて映るのを防止する。
【先行技術文献】
【特許文献】
【０００５】
【特許文献１】特開２００８−４４７９号公報（第１図）
【発明の概要】
【発明が解決しようとする課題】
【０００６】
しかしながら、前述した特許文献１に記載の照明器具１００においては、連結部材１０５を巻き取るための巻き取り装置を別途設ける必要があり、構造が複雑になるとともにコストアップを招くという問題があった。
【０００７】
本発明は、従来の問題を解決するためになされたもので、簡易な構造によりセードの落下を防止するとともに、連結部材等がセードに映って外観を損なうのを防止できる照明器具を提供することを目的とする。
【課題を解決するための手段】
【０００８】
本発明の照明器具は、取付面から垂下され下端部に螺子部を有する軸部と、前記軸部が貫通する孔部を有するセードと、前記孔部を貫通する前記軸部の先端部に螺合して前記セードを下方から支持するキボシと、を有し、前記孔部から前記取付面に向かって前記軸部に外嵌される中空の鞘管と、前記鞘管の下端部に取り付けられ、前記セードを前記孔部の下側から保持する落下防止具と、前記軸部の下端部に螺合するとともに前記鞘管の内部を移動可能で、且つ、前記鞘管が前記軸部から脱落するのを防止する鞘管止めと、を有するものである。
【０００９】
また、本発明の照明器具は、前記鞘管が、伸縮部材であるものである。
【００１０】
さらに、本発明の照明器具は、前記鞘管が、スプリングであるものである。
【発明の効果】
【００１１】
本発明は、鞘管の下端部に取り付けられる落下防止具が孔部の下側からセードを保持し、落下防止具の下側からキボシを軸部に取り付けることによりセードを取り付ける。鞘管が、軸部に対して摺動可能に設けられており、軸部の下端部に螺合された鞘管止めにより軸部からの脱落を防止されている。このため、キボシを外した状態では、鞘管止めにより停止するまで鞘管および落下防止具が下方へ移動可能なので、簡易な構造により、セードを下方へ移動し、落下を防止して保持できるとともに、中心の軸部および鞘管がセードに映らないので、外観を損ねない効果を有する照明器具を提供できる。
【図面の簡単な説明】
【００１２】
【図１】本発明に係る実施形態の照明器具においてセードを取り付けた状態の全体断面図
【図２】本発明に係る実施形態の照明器具においてセードを外して下方へずらした状態の全体断面図
【図３】本発明に係る実施形態の照明器具におけるセードの取付構造の分解図
【図４】セードを取り付けた状態の要部断面図
【図５】セードを外した状態の要部断面図
【図６】伸縮部材の別の例を示す断面図
【図７】従来の照明器具におけるセードの落下防止構造を示す斜視図
【発明を実施するための形態】
【００１３】
以下、本発明に係る実施形態の照明器具について、図面を用いて説明する。
図１および図２に示すように、本発明に係る実施形態の照明器具１０は、取付面である天井面１１に取り付けられる器具本体２０と、器具本体２０から鉛直下方に延びる軸部３０と、器具本体２０の照射方向前方に着脱可能に設けられるセード４０を有し、軸部３０の先端（下端）にセード４０の下側からキボシ５０を取り付けることによりセード４０を器具本体２０に取り付ける。
【００１４】
器具本体２０は、例えば金属板からなる円形の板状部材であり、中央に軸部３０が位置する。また、器具本体２０の外縁に沿って下方へ縁壁２２が設けられており、セード４０を取り付けた際に、セード４０の外周縁が当接する。
【００１５】
図３に示すように、軸部３０としては、例えば、少なくとも下部に螺子部３１が形成されているボルトを天井面１１にボルトを埋め込んで構成することができる。あるいは、器具本体２０の下面２１にボルトを取り付けて構成することもできる。
図４および図５にも示すように、軸部３０の下端から所定の高さ位置には、後述するスプリング３２の上限位置を規制するストッパナット３５が取り付けられている。また、軸部３０の下端には、キボシ５０との協働により、セード４０を固定するとともに、スプリング３２が軸部３０から脱落するのを防止する鞘管止めである受けナット３６が取り付けられている。
【００１６】
セード４０は、透光性を有する樹脂（例えば、アクリル板）やガラスにより、例えば回転曲面体や球の下端部の一部として構成されており、頂部（最下点）には孔部４１が開口している。軸部３０は孔部４１を貫通して螺子部３１がセード４０の下方に突出可能となっており、螺子部３１にキボシ５０を取り付けることにより、セード４０は器具本体２０に取り付けられる。
【００１７】
図３および図４に示すように、軸部３０には、孔部４１から天井面１１に向かって中空の鞘管としての伸縮部材であるスプリング３２が外嵌される。スプリング３２の外径はセード４０の孔部４１の内径よりも小さく、スプリング３２の内径は軸部３０の外径よりも大きい。すなわち、スプリング３２は、孔部４１を貫通して軸部３０に沿って上下移動可能である。
【００１８】
スプリング３２の上端には、軸部３０が貫通可能で且つ前述したストッパナット３５が貫通できない開口を有する円環状の天板３３が取り付けられている。天板３３には、例えば、外径寸法および開口寸法を満たすワッシャーを用いることができる。スプリング３２の上端位置は、天板３３の上面がストッパナット３５に当接するより、所定の高さ位置に規制される。
【００１９】
スプリング３２の下端には、軸部３０および受けナット３６が貫通可能な開口を有し、外形がセード４０の孔部４１よりも大きな、落下防止具としてのセード受け金具３４が取り付けられている。セード受け金具３４には、例えば、外径寸法および開口寸法を満たすワッシャーを用いることができる。
【００２０】
すなわち、スプリング３２は、上端位置にある場合には、図４に示すように、セード受け金具３４を介して、孔部４１の下方からセード４０を支持する。
また、図５に示すように、スプリング３２が下端位置にある場合には、天板３３が受けナット３６に係止されて、吊り下げられた状態となり、セード受け金具３４に支持されるセード４０も下方へ移動する。
【００２１】
図４および図５に示すように、キボシ５０の上端部には、セード４０を固定するための固定ナット５１およびワッシャー５２が埋め込まれて取り付けられている。ワッシャー５２の上面５２１は、キボシ５０の上面５３と同一面上にある。また、固定ナット５１は、キボシ５０と一体で回転する。
従って、キボシ５０を回転させることにより、固定ナット５１を容易に締め付けたり、緩めたりできる。
【００２２】
次に、セード４０の取付け作業について説明する。
図３に示すように、軸部３０の所定位置にストッパナット３５を取り付けておく。スプリング３２の天板３３側を、下側からセード４０の孔部４１に通して、スプリング３２のセード受け金具３４によってセード４０を下面側から支持する。
【００２３】
この状態で、スプリング３２を持ち上げて軸部３０に外嵌し、軸部３０の下端部が露出するまでセード４０を押し上げて、受けナット３６を螺合する。
そして、キボシ５０の上面５２１でセード受け金具３４を押し上げながら、キボシ５０の固定ナット５１を軸部３０の下端部に螺合し、受けナット３６によって回転が止まるまでキボシ５０を回す。これにより、セード４０は取り付けられる（図４参照）。
【００２４】
次に、セード４０を外す作業について説明する。
図５に示すように、キボシ５０を回転させて固定ナット５１を取り外す。これにより、セード４０およびセード受け金具３４が下降し、スプリング３２がセード４０の孔部４１から下方へ露出する。
【００２５】
スプリング３２は、天板３３がストッパナット３５に当接すると、下降を停止して、軸部３０から吊り下げられる。セード４０は、スプリング３２のセード受け金具３４によって下方から支持されているので、スプリング３２の下降が停止し、スプリング３２がセード４０等の重量による下方への伸びが停止した位置（図２中二点鎖線で表示の位置）に保持される。
【００２６】
以上、説明した本発明に係る実施形態の照明器具によれば、天井面１１から垂下され下端部に螺子部３１を有する軸部３０がセード４０の孔部４１を貫通し、軸部３０の先端部にキボシ５０を螺合させることにより、セード４０を取り付ける。このとき、軸部３０においてセード４０の孔部４１から天井面１１に向かって中空のスプリング３２を外嵌し、スプリング３２の下端部に取り付けられるセード受け金具３４が孔部４１の下側からセード４０を保持し、セード受け金具３４の下側からキボシ５０を軸部３０に取り付けることによりセード４０を取り付ける。スプリング３２は、軸部３０に対して摺動可能に設けられており、軸部３０の下端部に螺合された受けナット３６により軸部３０からの脱落を防止されている。
このため、キボシ５０を外した状態では、受けナット３６により停止するまでスプリング３２およびセード受け金具３４が下方へ移動可能なので、簡易な構造により、落下を防止してセード４０を下方へ移動させることができるとともに、中心の軸部３０およびスプリング３２がセード４０に映らないので、外観を損ねない。
【００２７】
また、軸部３０に外嵌するスプリング３２が伸縮部材なので、セード４０の所望の下降距離を確保できるとともに、セード４０を取り付ける際にスプリング３２が軸部３０に沿って収縮するので、容易にセード４０を軸部３０に取り付けることができる。
【００２８】
また、鞘管としてスプリング３２を用いるので、スプリング３２の伸びによりセード４０の所望の下降距離を確保できるとともに、セード４０を取り付ける際にスプリング３２の弾性力によりセード４０を引き上げるので、容易にセード４０を軸部３０に取り付けることができる。
【００２９】
なお、本発明の照明器具は、前述した実施形態に限定されるものでなく、適宜な変形，改良等が可能である。
例えば、前述した実施形態においては、伸縮部材である鞘管としてスプリング３２を用いた場合を例示したが、図６に示すような伸縮部材３７を用いることができる。なお、前述した実施形態と共通する部位には同じ符号を付して、重複する説明を省略することとする。
図６に示すように、伸縮部材３７は、径が異なる筒状部材３７１，３７２，３７３…を複数個（ここでは、例えば３個）有しており、脱落することなく伸縮可能となっている。なお、上端には天板３３が設けられており、下端にはセード受け金具３４が取り付けられている。
【符号の説明】
【００３０】
１０  照明器具
１１  天井面（取付面）
３０  軸部
３１  螺子部
３２、３７  スプリング（鞘管、伸縮部材）
３４  セード受け金具（落下防止具）
３６  受けナット（鞘管止め）
４０  セード
４１  孔部
５０  キボシ
【図１】
2012089279.tif 000003
【図２】
2012089279.tif 000004
【図３】
2012089279.tif 000005
【図４】
2012089279.tif 000006
【図５】
2012089279.tif 000007
【図６】
2012089279.tif 000008
【図７】
2012089279.tif 000009